(57)【要約】【課題】基台に取り付けられる機器に、基台からの振動が伝播するのを抑制すること。【解決手段】フレーム１１に対する振動を、前記フレーム１１に支持されたディスク再生部１２へ伝播することを抑制する振動抑制装置であって、前記フレーム１１に固定される固定部を有するダンパ１５を備え、前記ダンパ１５は、前記固定部が前記基台に固定されている状態において、前記フレーム１１の面と当該フレーム１１に面する前記固定部の面との間に所定の間隙を形成することを特徴とする。【選択図】        図１
2006071019.tif 000002
【特許請求の範囲】
【請求項１】
基台に対する振動を、前記基台に支持された被支持体へ伝播することを抑制する振動抑制装置であって、
前記基台に固定される固定部を有するダンパを備え、
前記ダンパは、前記固定部が前記基台に固定されている状態において、前記基台の面と当該基台に面する前記固定部の面との間に所定の間隙を形成することを特徴とする振動抑制装置。
【請求項２】
前記固定部は、前記基台の一部として形成された係止片によって、前記固定部の前記基台に面していない面が係止されることで前記基台に固定されることを特徴とする請求項１に記載の振動抑制装置。
【請求項３】
前記間隙は、前記基台の面と当該基台に面する前記固定部の面との間に段差を設けることによって形成されることを特徴とする請求項１または２に記載の振動抑制装置。
【請求項４】
前記固定部は、当該固定部の外周に向けて突出する複数の係止突起を有し、複数の前記係止突起は、複数の前記係止片によってそれぞれ固定されることを特徴とする請求項２に記載の振動抑制装置。
【請求項５】
前記係止突起には係合孔が開口形成されており、前記固定部は、前記係止片に形成された係合突起が前記係合孔に係合することにより固定されることを特徴とする請求項４に記載の振動抑制装置。
【請求項６】
前記ダンパは、本体部が所定径の円筒状に形成され、前記固定部は、前記本体部の径より大きい径に形成され、前記ダンパの前記本体部を、前記基台に形成された前記本体部とほぼ同径の開口部に挿入した位置で、前記固定部が前記基台に固定されることを特徴とする請求項１〜５のいずれか一つに記載の振動抑制装置。
【請求項７】
前記固定部は、樹脂材質からなることを特徴とする請求項１〜６のいずれか一つに記載の振動抑制装置。
【請求項８】
請求項１〜７のいずれか一つに記載の振動抑制装置を備えることを特徴とする移動体装置。
【発明の詳細な説明】
【技術分野】
【０００１】
本発明は、振動の伝播を抑制する振動抑制装置および移動体装置に関する。ただし、本発明の利用は前述の振動抑制装置および移動体装置には限らない。
【背景技術】
【０００２】
従来、移動体用等のディスク再生装置には、緩衝材であるダンパを用いて移動体からの振動を当該ディスク再生装置に伝えないための機構が設けられている。ダンパの取り付けにあたっては、構造上取り付けが難しい箇所においても、容易にかつ短時間に取り付けがおこなえるよう、ダンパの固定部をねじの代わりに爪状の折曲片によって固定する方法が知られている（たとえば、下記特許文献１参照。）。
【０００３】
【特許文献１】特開平８−１２９８６８号公報
【発明の開示】
【発明が解決しようとする課題】
【０００４】
しかしながら、ダンパの固定部は一般的に樹脂でできている。樹脂は、温度変化によって膨張・収縮を生じるため、移動体内部の温度変化によって、ダンパの固定部には寸法変化が生じる。上述した従来技術では、このような寸法変化が繰り返される結果、折曲片が塑性変形を起こし、ダンパの固定部にがたつきが生じる。
【０００５】
そのため、折曲片によって固定されているダンパが緩衝材としての機能を果たさず、がたつきによってディスク再生装置に振動が伝わってしまう。ディスク再生装置は、光ピックアップによってディスクの読み取りをおこなっており、振動によって光ピックアップの読み取り不良が生じる。そして、ディスクの再生時などに、音飛びなどの再生不良が生じてしまうという問題が一例として挙げられる。
【課題を解決するための手段】
【０００６】
上述した課題を解決し、目的を達成するため、請求項１の発明にかかる振動抑制装置は、基台に対する振動を、前記基台に支持された被支持体へ伝播することを抑制する振動抑制装置であって、前記基台に固定される固定部を有するダンパを備え、前記ダンパは、前記固定部が前記基台に固定されている状態において、前記基台の面と当該基台に面する前記固定部の面との間に所定の間隙を形成することを特徴とする。
【０００７】
また、請求項８の発明にかかる移動体装置は、請求項１〜７のいずれか一つに記載の振動抑制装置を備えることを特徴とする。
【発明を実施するための最良の形態】
【０００８】
（実施の形態）
本実施の形態は、たとえば、移動体の振動が移動体装置に伝わるのを抑制して移動体装置を安定作動させることを目的の一つとする。
【０００９】
本実施の形態にかかる振動抑制装置は、基台に対する振動を、基台に支持された被支持体へ伝播することを抑制する振動抑制装置であり、基台に固定される固定部を有するダンパを備えている。ダンパは、固定部が基台に固定されている状態において、基台の面と、基台に面する固定部の面との間に所定の間隙を形成する。
【００１０】
ダンパの固定部は、基台の一部として形成された係止片によって、固定部の基台に面していない面が係止されることで基台に固定されてもよい。その場合、外周に向けて突出する複数の係止突起を形成し、複数の係止片によって係止することもできる。また、係止突起に係合孔を開口形成し、基台の係止片には、係合孔に係合する係合突起を有する構成としてもよい。
【００１１】
このような構成によれば、ダンパの固定部は、基台の面との間において所定の間隙が形成される。これにより、ダンパの固定部が膨張しても、膨張した固定部は、基台の面に接することがなく、ダンパを固定する係止片に膨張による力が加わることがない。このため、係止片の変形によるがたつきや被支持体に対する悪影響を防ぐことができる。この振動抑制装置を用いた移動体装置は、車両などの移動体の振動を移動体装置に伝えず、移動体が振動しても常時、移動体装置を安定作動させることができる。
【実施例】
【００１２】
以下に、本実施の形態にかかる実施例について添付図面を参照して詳細に説明する。ここでは、実施の形態をＣＤやＤＶＤなどの光ディスクを再生する、移動体用のディスク再生装置に適用した場合を例示して説明する。
【００１３】
図１は、本発明の実施例にかかる振動抑制装置を備えた移動体装置の構造を示す斜視図である。まず、本実施例にかかる移動体装置の全体構造について、図１を参照して説明する。移動体装置１には、フレーム１１内側にディスク再生部１２がダンパ１５（１５ａ〜１５ｃ）を介して取り付けられている。フレーム１１は、ディスク再生部１２が収納される大きさに設計され、移動体装置１が搭載される移動体内において、ディスク再生部１２が設置される空間を確保する。以下、フレーム１１において、ディスク再生部１２が取り付けられている面を内側、その反対面を外側とする。
【００１４】
また、フレーム１１の底面には、ダンパ取り付け部１３（１３ａ〜１３ｃ）が開口形成されている。ダンパ取り付け部１３の直径は、後述するダンパ１５の本体樹脂部２２および弾性部２３の直径より大きく、蓋部２１の直径より小さく開口されている。また、ダンパ取り付け部１３は、フレーム１１外側から内側に向かってダンパ１５が取り付けられるよう成形される。フレーム１１外側のダンパ取り付け部１３の周辺部には、ダンパ１５を取り付けるため、係止片として後述する固定爪３１，３２が成形される。
【００１５】
ダンパ取り付け部１３ａ〜１３ｃは、フレーム１１の底面のうち後述するディスク再生部１２のディスク挿入部１６側の側面の左右に２箇所、ディスク挿入部１６と反対側側面の中央部に１箇所、計３箇所設けられる。ダンパ取り付け部１３が設けられる位置は、後述するディスク再生部１２に設けられた支持軸１４（１４ａ，１４ｂ）に対応する位置に設計される。そして、それぞれにダンパ１５ａ〜１５ｃが取り付けられ、３点によってディスク再生部１２を支持する。３点による支持をおこなうことによって、支持強度を確保しつつ装置内のスペースを効率的に設計することができる。なお、ダンパ取り付け部１３の位置および数については、移動体装置や移動体装置が搭載される移動体の設計によって、適宜変更することが可能である。
【００１６】
ディスク再生部１２は、ディスク挿入部１６、ディスク回転部１７、移動ユニット１８などから構成される。ここで、ディスクとはＣＤ，ＤＶＤなどの光ディスクである。ディスク再生部１２は、ディスク挿入部１６から挿入されたディスクをディスク回転部１７で回転させ、移動ユニット１８に設けられたピックアップ装置によってディスクに記録されたデータの読み出しをおこなう。なお、以下、ディスク再生部１２において、ディスク挿入部１６が設けられる面を前面、その反対側の面を後面という。また、ディスク挿入部１６に挿入するディスクの上面側の面を天面、下面側の面を底面という。
【００１７】
ピックアップ装置は、レーザ発振器から発射したレーザ光をレンズで集光してディスクの記録面に当て、その反射光を光センサで捕らえることによってディスクに記録されたデータの読み出しをおこなう。ピックアップ装置が設けられる移動ユニット１８がディスクの半径方向に移動することによって、ディスク全体のデータの読み出しをおこなうことができる。
【００１８】
このように、光ディスクの再生にあたっては、ディスクの読み出しに光学素子およびレーザ光が用いられる。そのため、ピックアップ装置に振動が加わると、音飛びなどの再生不良が生じる場合がある。これを防止するため、ディスク再生部１２を移動体（フレーム１１）に取り付けるには、ダンパ１５を介して取り付け、ディスク再生部１２に対し、移動体（フレーム１１）からの振動が伝わらないように緩衝支持する。
【００１９】
また、ディスク再生部１２の底面には、前面側の左右２箇所に支持軸１４（１４ａ，１４ｂ）が設けられる。支持軸１４は、軸状であり、ダンパ取り付け部１３の中心位置に向けて突出するように設けられる。支持軸１４は、後述するダンパ１５に設けられた支持軸受け部２５に挿入され、ディスク再生部１２を緩衝支持する。また、図示しないが、ディスク再生部１２の底面の後面側中央のダンパ取り付け部１３ｃに相当する箇所にも、支持軸１４ａ，１４ｂと同様の支持軸が一つ設けられる。
【００２０】
図２は、ダンパを示す斜視図である。図３は、蓋部側から見たダンパの外観の斜視図である。図４は、図３のＡ−Ａ線断面図である。つぎに、ダンパ１５の構造について、図２〜４を参照して説明する。
【００２１】
ダンパ１５は、円盤状の蓋部２１に円筒状の本体樹脂部２２の底面が接合され、さらに本体樹脂部２２の反対側底面に袋状の弾性部２３が接合される。また、本体樹脂部２２および弾性部２３には粘性流体２４が封入されている。なお、ダンパ１５は、通常図２，図４に示すように蓋部２１側を下にして使用する。
【００２２】
蓋部２１は円形であり、一定の厚さを有している。また、蓋部２１には、一対の係止突起としての固定孔用突部２６と、突片部２８が成形される。固定孔用突部２６および突片部２８は、それぞれ蓋部２１の中心に対して対称の位置に設けられる。また、固定孔用突部２６の略中心部には固定孔２７が貫通して開口形成される。固定孔用突部２６は、固定孔２７の周囲を均等に沿うように、丸みを帯びた形状をしている。また、固定孔用突部２６と蓋部２１との間には、本体樹脂部２２側の面において、段差２９が設けられる。このため、固定孔用突部２６の厚さは、蓋部２１の厚さに比べて、本体樹脂部２２側の面において薄く成形される。
【００２３】
突片部２８は、直方体状の突起である。突片部２８の厚さは、固定孔用突部２６同様、蓋部２１の厚さに比べて、本体樹脂部２２側において薄く成形される。これによって、突片部２８と、蓋部２１の本体樹脂部２２側の面との間に段差３０が形成される。
【００２４】
本体樹脂部２２は、中空の円筒形であり、内部には粘性流体２４が封入されている。底面のうち一方には蓋部２１、他の一方には弾性部２３が接合される。蓋部２１、本体樹脂部２２、固定孔用突部２６、突片部２８は、それぞれ樹脂で成形されており、一定の硬度を有している。
【００２５】
弾性部２３は、ゴムなどの弾性体によって袋状に成形される。弾性部２３には、凹凸が設けられ、中央には凹部２３ａによって支持軸受け部２５が形成される。支持軸受け部２５には、ディスク再生部１２の支持軸１４（図１参照）が挿入され、ディスク再生部１２を緩衝支持する。また、弾性部２３の表面には凸部２３ｂ，２３ｃが設けられ、中心に設けられる支持軸受け部２５の開口部に向かって凸の形状を形成している。
【００２６】
ダンパ１５の各部の直径は、蓋部２１、本体樹脂部２２、弾性部２３の順に小さくなっている。また、弾性部２３の直径は、凸部２３ｂ，２３ｃが設けられることによって先端（支持軸受け部２５の開口部側）ほど小さくなっている。図１を参照して説明したように、ダンパ取り付け部１３の直径は蓋部２１の直径より小さく、本体樹脂部２２および弾性部２３の直径より大きく成形される。このため、ダンパ１５をダンパ取り付け部１３に取り付けた場合、フレーム１１内側には本体樹脂部２２および弾性部２３が、フレーム１１外側には蓋部２１のみが位置することになる。
【００２７】
図５は、ダンパをフレームに固定する前のダンパ取り付け部１３周辺の斜視図である。また、図６はダンパをフレームに固定した後のダンパ取り付け部１３周辺の斜視図である。また、図７は、固定爪に固定された固定孔用突部の断面図である。つぎに、フレーム１１のダンパ取り付け部１３周辺の構成について図５〜図７を参照して説明する。図５においてダンパ１５はフレーム１１に固定されていない。一方、図６，図７においてダンパ１５はフレーム１１に固定される。
【００２８】
ダンパ取り付け部１３周辺のフレーム１１外側面には、ダンパ１５を固定するために固定爪３１，３２が設けられる。固定爪３１，３２は、フレーム１１の一部を爪状に成形し、折り曲げて形成される。はじめに、フレーム１１外側面から垂直方向に折り曲げ、さらに先端部をフレーム１１の表面と水平方向に折り曲げる。この際、固定爪３１，３２は、それぞれ一致したダンパ取り付け部１３の回転方向に向けて折り曲げられる。すなわち、図５において、固定爪３１，３２は矢印Ｂに示す回転方向に向かって先端部が折り曲げられる。これによって、固定爪３１，３２の先端部とフレーム１１の間には空間ができる。以下、この空間を固定爪下部という。
【００２９】
また、固定爪３１の先端部は、ダンパ１５の固定孔２７を固定するため、フレーム１１側は、フレーム１１表面に向かって凸状に固定爪凸部３１ａが形成される。なお、固定爪凸部３１ａは、図５，図７の点線部に示すように、固定爪３１先端部のうちフレーム１１表面側に向けて凸状に形成されているになった部分のみを指している。
【００３０】
図７に示すように、固定爪凸部３１ａの幅は、フレーム１１表面側に接近するほど小さくなっており、フレーム１１表面側から垂直方向に半分の位置の幅が固定孔２７の直径Ｅと等しくなるよう成形される。すなわち、固定爪凸部３１ａのフレーム１１表面側から垂直方向の長さをＨ、幅をＦ（Ｈ）、とすると、Ｆ（Ｈ／２）＝Ｅとなる。よって、固定孔２７には固定爪凸部３１ａの先端から半分まで（Ｈ／２まで）が差し込まれ、係合される。一方、固定爪３２は、ダンパ１５の突片部２８を固定するため、先端部は図５に示すようにダンパ１５の蓋部２１と平行に成形される。
【００３１】
つぎに、ディスク再生部１２をフレーム１１に取り付ける手順について図１を参照して説明する。まず、ダンパ１５を、フレーム１１外側から図中矢印Ａの方向に向けてダンパ取り付け部１３にはめ込む。そして、ダンパ１５をフレーム１１に固定する（固定手順の詳細は後述する）。つぎに、支持軸受け部２５に支持軸１４を挿入しながら、ディスク再生部１２をフレーム１１に収納する。支持軸１４は、ダンパ取り付け部１３の中心位置に設けられており、ダンパ１５の中央に設けられた支持軸受け部２５に挿入されるように形成される。
【００３２】
以上のような手順によってフレーム１１に取り付けられたディスク再生部１２は、ダンパ１５によって底面から伝わる振動から緩衝支持される。これによって、移動体装置１が搭載される移動体の走行などによる振動が、ディスク再生部１２に伝わることを抑制することができる。
【００３３】
つぎに、ダンパ１５をフレーム１１に固定する際の手順について、図５〜７を参照して説明する。ダンパ１５は、フレーム１１に設けられたダンパ取り付け部１３に図５中Ｖ方向から取り付けられた後、表面に表出した蓋部２１を回転させ、固定孔２７および突片部２８を固定爪３１，３２にそれぞれ係合させることによって、フレーム１１に固定される。
【００３４】
まず、図５に示すように、ダンパ１５をフレーム１１の外側からダンパ取り付け部１３に図中Ｖ方向よりはめ込む。なお、図５においてはダンパ取り付け部１３は蓋部２１によって隠れているため、点線で図示している。ダンパ取り付け部１３の直径は、本体樹脂部２２，弾性部２３の直径より大きく、蓋部２１の直径より小さいため、フレーム１１外側には蓋部２１のみが表出し、本体樹脂部２２、弾性部２３は点線で示すようにフレーム１１内側に位置する。
【００３５】
フレーム１１内側には図示しないディスク再生部１２が収納され、図示しない支持軸１４が、ダンパ取り付け部１３の中心に位置するように配置される。このため、ダンパ１５をはめ込むと、弾性部２３の中央に設けられた支持軸受け部２５に支持軸１４が挿入される。
【００３６】
つぎに、フレーム１１の外側に表出した蓋部２１を図５中矢印Ｂの方向に回転させ、固定孔用突部２６を固定爪３１の固定爪下部に、突片部２８を固定爪３２の固定爪下部にそれぞれ移動させる。図６に示すように、突片部２８は、固定爪３２の固定爪下部に入り込み、突片部２８の面２８ａにおいて、固定爪３２の内側面３２ａと接触することによって、回転方向に係止され、蓋部２１の移動が停止する。
【００３７】
このとき、固定孔用突部２６は、固定爪３１の位置に至り、固定孔２７と固定爪凸部３１ａとが係合する。固定孔２７と固定爪凸部３１ａとが係合する部分の詳細について、図７を参照して説明する。ダンパ取り付け部１３にはダンパ１５が取り付けられており、ダンパ１５は、蓋部２１のみがフレーム１１外側に表出し、本体樹脂部２２以下の部分はフレーム１１内側に位置する。また、固定孔用突部２６は、固定爪３１の固定爪下部に入り込み、固定孔２７に固定爪凸部３１ａが係合する。
【００３８】
前述のように、固定爪凸部３１ａの幅は、フレーム１１表面方向に向かって狭くなっており、フレーム１１表面に対して垂直方向の中間地点の幅（図中Ｅ）が固定孔２７の直径と等しくなるように成形される。また、固定爪凸部３１ａの垂直方向の中間地点の高さ（フレーム１１表面からの垂直方向の位置、以下同じ）と、固定孔２７の固定爪凸部３１ａ側表面の高さとが一致するよう成形される。
【００３９】
固定爪３１と固定孔２７とを係合させる際には、まず、蓋部２１の回転によって、固定孔用突部２６が固定爪凸部３１ａに接触する。図７に示すように、固定爪凸部３１ａの先端（フレーム１１表面側の端）は、固定孔用突部２６の上面より低い位置にあるため、固定爪凸部３１ａと、固定孔用突部２６とが接触してしまうためである。その後も回転を続けると、固定爪凸部３１ａが、固定孔用突部２６をわずかに下にたわませながら固定孔用突部２６上を通過する。そして、固定爪凸部３１ａが固定孔２７の位置に至ると、固定爪凸部３１ａが固定孔２７にはまりこみ、以後、固定爪３１と固定孔２７は係合状態を保持し、フレーム１１からダンパ１５の抜けるのを防止する。
【００４０】
このようにして、固定爪３１は、固定爪凸部３１ａの垂直方向の中間地点において、固定孔２７と係合する。前述のように、両者の幅（直径）は等しくなるよう成形されるので、隙間が生じず、がたつきを生じることなく係合することができる。
【００４１】
前述のように、固定孔用突部２６の厚さは、蓋部２１の厚さに比べて、本体樹脂部２２側の面において薄く成形される。すなわち、図７中に示すように、固定孔用突部２６の厚さＣ１に対して、蓋部２１の厚さは、段差２９の高さＤ１が加わったＣ１＋Ｄ１で表される。このため、ダンパ１５をダンパ取り付け部１３に取り付け、蓋部２１のみがフレーム１１表面に表出すると、固定孔用突部２６とフレーム１１との間には、段差２９によって空間３５が形成される。空間３５の高さは、段差２９の高さＤ１で表される。
【００４２】
なお、ダンパ１５の固定は、クリンチによっておこなうこともできる。前述の方法においては、固定爪３１，３２の先端部は、あらかじめフレーム１１の表面と水平方向に形成される。これに対して、クリンチによって固定をおこなう場合には、固定爪３１，３２の先端部は、フレーム１１の表面と水平方向より開いた状態（上方に角度を持たせた状態）に形成される。そして、ダンパ１５を配置した後、固定爪３１，３２を上方から押圧して、水平方向または下方に角度を持たせた状態に塑性変形させることによって、ダンパ１５をフレーム１１に固定する。この方法によれば、クリンチ前の固定爪３１，３２は水平方向より開いた状態にあるため、ダンパ１５の配置を容易におこなうことができる。
【００４３】
つぎに、移動体内部の温度変化によって、蓋部２１、固定孔用突部２６、突片部２８に寸法変化が生じた際の状態について図７および図８を参照して説明する。前述のように、樹脂によって成形されるダンパ１５の蓋部２１、固定孔用突部２６、突片部２８は、移動体内部の温度が上昇することによって樹脂の体積が膨張し、寸法変化が生じる。
【００４４】
図８は、ダンパに寸法変化が生じた際の固定孔用突部の断面図である。蓋部２１、固定孔用突部２６、突片部２８を形成する樹脂の体積が膨張し、寸法変化が生じると、図８に示すように、固定孔用突部２６の厚さはＣ２となり、膨張前の厚さＣ１と比べて増加する。すなわち、Ｃ１＜Ｃ２となる。また、蓋部２１の厚さＣ２＋Ｄ３も、膨張前の厚さＣ１＋Ｄ１に比べ、増加する。すなわち、Ｃ１＋Ｄ１＜Ｃ２＋Ｄ３（Ｄ１＜Ｄ３）となる。
【００４５】
蓋部２１の厚さが増加してＣ２＋Ｄ３になると、固定孔用突部２６の固定爪凸部３１ａ側表面の位置も変化し、Ｃ２＋Ｄ３の位置になろうとする。しかし、固定爪３１は、Ｃ１＋Ｄ１の位置において固定孔２７と係合するように成形される。このため、固定孔用突部２６には、固定爪３１によって、固定孔用突部２６の固定爪凸部３１ａ側表面の位置をＣ１＋Ｄ１の位置に留めようとする力が加わる。
【００４６】
固定孔用突部２６のフレーム１１表面側には、段差２９によって空間３５が形成される。このため、固定孔用突部２６には、固定爪３１により加えられた力によって、フレーム１１表面方向にたわみが生じる。すなわち、Ｄ２＜Ｄ３となり、膨張によって変化した厚さを空間３５によって吸収することができる。このため、固定孔用突部２６の固定爪３１側表面の高さはＣ２＋Ｄ２＝Ｃ１＋Ｄ１に保たれ、固定爪３１は、その形状を維持することができる。
【００４７】
一方、再度の温度変化によって移動体内部の温度が低下し、膨張前の温度に下がると、体積増加は解消し、蓋部２１の厚さはＣ１＋Ｄ１に戻る。また、固定孔用突部２６は図７に示す状態に戻り、たわみは解消する。
【００４８】
また、突片部２８においても、前述の固定孔用突部２６と同様にフレーム１１との間に空間が設けられる。このため、突片部２８に寸法変化が生じても、フレーム１１側にたわむことによって変化分を吸収することができる。これによって固定爪３２はその形状を維持することができる。
【００４９】
このように、ダンパ１５の固定部である固定孔用突部２６および突片部２８に段差を設けることによって、膨張した固定部がフレーム１１の面に接することがなく、ダンパ１５を固定する固定爪３１，３２に膨張による力が加わることがない。このため、固定爪３１，３２の変形によるがたつきや被支持体に対する悪影響を防ぐことができる。
【００５０】
仮に、固定孔用突部２６および突片部２８に段差を設けていないとすると、フレーム１１との間には空間がなく、接触することになる。この場合、温度が上昇することによって樹脂で成形される蓋部２１、固定孔用突部２６、突片部２８が膨張しても、フレーム１１方向へたわむことができない。そして、固定爪３１，３２は、固定孔用突部２６および突片部２８の厚さを増加させる方向に加わる力によって変形する。このとき、固定爪３１，３２は、いわゆる「開いた」状態に変形することになる。
【００５１】
また、温度が低下すると、樹脂で成形される蓋部２１、固定孔用突部２６、突片部２８は収縮し、元の体積に戻る。一方、固定爪３１，３２は、固定孔用突部２６および突片部２８から力を加えられることによって塑性変形を起こすため、「開いた」状態のままである。このとき、固定孔用突部２６および突片部２８と固定爪３１，３２との間には隙間が生じ、完全には係合せず、ダンパ１５とフレーム１１との間でがたつきが生じることになる。
【００５２】
このように、ダンパ１５とフレーム１１との間にがたつきが生じると、ダンパ１５に支持されるディスク再生部１２に対する緩衝効果がなくなることに加え、ダンパ１５とフレーム１１との間のがたつきが直接被支持体に伝わってしまうことによって、ディスク再生部１２に故障や再生不良などの悪影響を与える恐れがある。
【００５３】
本実施例にかかる振動抑制装置によれば、ダンパを固定する固定爪にダンパの樹脂部の膨張による力が加わることがない。このため、固定爪の変形によるがたつきや被支持体に対する悪影響を防ぐことができる。
【００５４】
また、ダンパの形状は、使用される機器の形態や構成によって、様々な形状のものが用いられる。本実施例にかかる振動抑制装置に用いられるダンパの形状は、上記に例示した形状に限られるものではない。
【００５５】
図９は、ダンパの他の形態の一例を示す図である。ダンパ４１は、蓋部４２、本体樹脂部４４、弾性部４５によって構成される。蓋部４２は円盤状であり、本体樹脂部４４の底面が接合される。本体樹脂部４４は、円筒形であり、一方の底面を蓋部４２に接合し、他の底面を弾性部４５に接合する。弾性部４５は、中心に支持軸受け部４６が設けられ、被支持体に設けられる支持軸が挿入される。また、弾性部４５の表面には、支持軸受け部４６の開口に向かって凸となるよう段差が設けられ、支持軸受け部４６に挿入された支持軸からの振動を緩衝する。
【００５６】
また、蓋部４２には突片部４３（４３ａ〜４３ｃ）が３つ成形される。突片部４３は、直方体状の突起である。突片部４３の厚さは、蓋部４２の厚さに比べて、本体樹脂部４４側の面において薄く成形される。これによって、突片部４３と、蓋部４２の本体樹脂部４４側の面との間に段差が形成される。ダンパ４１を固定するフレームには、ダンパ取り付け部周辺に固定爪を３つ成形しておく。固定爪の形状は、前述の実施例の固定爪３２のように、先端をフレーム表面と平行に成形する。
【００５７】
ダンパ４１をフレームなどに固定する際には、まず、ダンパ取り付け部に固定爪と突片部４３とをずらすようにダンパ４１を取り付ける。そして、蓋部４２を回転させ、固定爪下部に突片部４３をすべりこませ、固定爪と突片部４３を係合させる。このとき突片部４３は、固定爪のうちフレーム表面から垂直方向に隆起した部分によって、フレーム外側面と平行方向に固定される。また、固定爪のうちフレーム表面と平行に伸びる先端部によって垂直方向に固定される。
【００５８】
前述のように、突片部４３には、蓋部４２との間に段差が設けられる。このため、温度変化によって蓋部４２および突片部４３に体積膨張による寸法変化が生じても、膨張分の体積は段差側にたわむことによって吸収される。よって、温度変化が生じても固定爪に寸法変化による負荷をかけることがなく、固定爪の変形によるがたつきが発生することがない。
【００５９】
また、突片部４３ａ〜４３ｃの３点によってダンパ４１を固定するため、２点で固定する場合と比べて、フレーム面と水平方向にずれが生じる可能性を低くすることができる。さらに、突片部４３の形状は全て同じであるため、ダンパ４１をフレームに取り付ける際に取り付け方向を考慮しなくてもよい。
【００６０】
以上説明したように、本実施例によれば、フレームとダンパとの固定部において、ダンパ側の固定部に段差を設けている。これによって、温度変化によってダンパの固定部に寸法変化が生じても、段差側に膨張したダンパがたわむため、フレーム側の固定部に変形が生じることがない。
【００６１】
また、ダンパをフレームに固定するにあたって、ダンパ蓋部に設けられた固定孔および突片を、フレームに設けられた固定爪に係合させることによって固定するため、固定作業を容易におこなうことができる。
【００６２】
上記の実施例においては、本発明を移動体用のディスク再生装置に適用した場合を例示したが、本発明はこれ以外の機器にも適用可能である。移動体装置であれば、移動体装置のモータや駆動機構、回路素子等の各部に対する移動体の振動の伝播を抑制して、移動体装置を安定動作させることができる。そして、移動体装置に限らず、振動の伝播を抑制する電子機器に幅広く適用することができる。
【００６３】
また、本発明にかかる振動抑制装置は、上記に実施例の構成に限定されるものではなく、これ以外の構成であってもよい。
【図面の簡単な説明】
【００６４】
【図１】本発明の実施例にかかる振動抑制装置を備えた移動体装置の構造を示す斜視図である。
【図２】ダンパを示す斜視図である。
【図３】蓋部側から見たダンパの外観の斜視図である。
【図４】図３のＡ−Ａ線断面図である。
【図５】ダンパをフレームに固定する前のダンパ取り付け部周辺の斜視図である。
【図６】ダンパをフレームに固定した後のダンパ取り付け部周辺の斜視図である。
【図７】固定爪に固定された固定孔用突部の断面図である。
【図８】ダンパに寸法変化が生じた際の固定孔用突部の断面図である。
【図９】ダンパの他の形態の一例を示す図である。
【符号の説明】
【００６５】
１  移動体装置
１１  フレーム
１２  ディスク再生部
１３ａ〜１３ｃ  ダンパ取り付け部
１４ａ，１４ｂ  支持軸
１５ａ〜１５ｃ，４１  ダンパ
１６  ディスク挿入部
１７  ディスク回転部
１８  移動ユニット
２１，４２  蓋部
２２，４４  本体樹脂部
２３，４５  弾性部
２３ａ  凹部
２３ｂ，２３ｃ  凸部
２４  粘性流体
２５，４６  支持軸受け部
２６  固定孔用突部
２７  固定孔
２８，４３ａ〜４３ｃ  突片部
２９，３０  段差
３１，３２  固定爪
３１ａ  固定爪凸部
３５  空間
【図１】
2006071019.tif 000003
【図２】
2006071019.tif 000004
【図３】
2006071019.tif 000005
【図４】
2006071019.tif 000006
【図５】
2006071019.tif 000007
【図６】
2006071019.tif 000008
【図７】
2006071019.tif 000009
【図８】
2006071019.tif 000010
【図９】
2006071019.tif 000011